(57)【要約】【課題】液晶表示器を用いて構成した燃焼機等の電気器具の表示装置に関するもので、簡単な構成でわかりやすい表示装置を提供することを目的とする。【解決手段】表示部１３はバックライト手段を有する液晶表示器２０を用いるとともに、バックライト手段を複数に分割し個別にバックライト手段の色を変えることよって、液晶表示器２０の背景色を部分的に色を変えることかできるようになり、液晶表示器２０に表示する内容に応じて、それに対応する部分のバックライト手段の色を変えることよって、液晶表示器２０の背景色を表示する内容に応じて色を変えることかできるようになり、液晶表示器２０の表示する内容が背景色で判別できるようになり、わかりやすい表示ができるようになる。【選択図】図１
2005172985.tif 000002
【特許請求の範囲】
【請求項１】
運転指示及び各種設定を行う操作部と、この操作部の指示により運転を制御する制御部と、前記制御部による運転状態を表示する表示部を備え、前記表示部はバックライト手段を有する液晶表示器を用いるとともに、バックライト手段を複数に分割し、個別にバックライト手段の色を変更することが可能な構成とした表示装置。
【請求項２】
運転指示及び各種設定を行う操作部と、この操作部の指示により運転を制御する制御部と、前記制御部による運転状態を表示する表示部を備え、前記表示部はバックライト手段を有する液晶表示器を用いるとともに、バックライト手段を複数に分割し、個別にバックライト手段の点灯と消灯を選択できる構成とした表示装置。
【請求項３】
表示部はバックライト手段を有する液晶表示器を用いるとともに、バックライト手段を複数に分割し、部分的にバックライト手段を点滅させる構成とした請求項１または２記載の表示装置。
【請求項４】
表示部は液晶表示器をバックライト手段の一部を形成するホルダーを介してプリント基板に配設するとともに、ホルダーは液晶表示器の背景色を形成するように、蓄光剤を混入した蛍光色の樹脂材料で形成した請求項１〜３のいずれか１項記載の表示装置。
【発明の詳細な説明】
【技術分野】
【０００１】
本発明は、液晶表示器を用いて構成した燃焼機等の電気器具の表示装置に関するものである。
【背景技術】
【０００２】
従来、電気器具の表示装置は多彩な表示内容をするため表示情報量を多く必要とし、蛍光表示管や液晶表示器が多く用いられている。
【０００３】
例えば、従来の石油ファンヒータ等の燃焼機の表示装置としては、操作部に設けた各種操作スイッチの近傍にＬＥＤを配して、このＬＥＤを点灯させたり、点滅させたりして、操作内容や運転状態を表示するようにしていた。しかしながら、近年、燃焼機の機能が増加し、その機能を表示しようとするとＬＥＤの点灯表示では対応しきれない状態となってきた。そこで、この問題を解決するために、蛍光表示管や液晶表示器を用いたものが燃焼機の表示装置として主流になってきている。
【０００４】
この蛍光表示管や液晶表示器を用いると、表示部が一ヶ所に集中するためコンパクトに納まり操作部のスペースを有効に利用することができるため小型化が可能となったり、制御部との接続を簡素化できるというメリットがある。さらに、蛍光表示管や液晶表示器は従来のＬＥＤ点灯方式に比べ、文字や図柄の表示で操作内容や運転状態を表示することができるため、多くの機能を有した近年の燃焼機の表示装置としては最適なものである。
【０００５】
しかしながら、石油ファンヒータ等の燃焼機は通常、使用者の近くにはなく、部屋全体の空調制御をするのが普通である。この場合、上記のようにコンパクトな液晶表示器の中にたくさんの表示内容を盛り込んだ表示装置では、各表示セグメントを小さくせざるを得ないため、離れた場所からでは細かい表示内容までは確認できないという課題があり、その為種々の改良がなされてきている（例えば、特許文献１参照）。
【０００６】
図４は、特許文献１に記載された従来の燃焼機のブロック図、図５は同燃焼機の制御部２内の表示比較判断部（図示せず）の動作を表すフローチャートである。特許文献１に記載された従来の石油ファンヒータ等の燃焼機の表示装置について図４、図５を用いて説明すると、運転指示及び各種設定を行う操作部１の信号に基づいて、制御部２は該機器の運転を制御するようになっていて、その制御部２による運転状態の内容を表示部３で表示するようにしてある。また、該機器の燃焼部４はバーナーや対流ファンを備えており、室温を検出する室温センサー５や、灯油の有無を検出する油面センサー６の信号に応じて、制御部２は、操作部１からの運転指示及び各種設定に従い、燃焼部４内のバーナーや対流ファンを所定の燃焼量になるように制御すると共に、現在の運転状態を表示部３に表示する制御を行う。
【０００７】
表示装置の動作について説明すると、バックライトの色は「赤」「緑」「オレンジ」の３色とし、「緑」と「オレンジ」の切り替え条件は室温と設定温度の関係で決まるものとする。また、「赤」は全てに優先して点灯する色で、まもなく燃焼が停止することを予告する色とする。
【０００８】
運転スイッチがＯＦＦなら、バックライトは消灯状態にする（ステップ１９）。運転スイッチがＯＮなら、予め設定されているバックライト色切り替え条件に従ってバックライトの色を決定する条件判断を行う。使用者が操作部１で設定した温度になるように燃焼部４の燃焼制御を行い部屋の空調制御をする。
【０００９】
このとき、油面センサー６からの信号は油有りで、３時間消火予告前でなく、タイマー燃焼での消火１０分前でない場合、操作部１で設定された設定温度と室温センサー５からの室内温度の関係でバックライトの色を決める。すなわち、「室内温度≧設定温度」ならバックライトは「緑」を点灯する（ステップ１７）。「室内温度＜設定温度」ならバックライトは「オレンジ」を点灯する（ステップ１８）。
【００１０】
ここで、「緑」と「赤」の光源の同時点灯とすることで「オレンジ」色を実現していて、２色の光源を同時点灯することで第３色目を実現しているため、３色の光源を必要とせず、コストをかけることなく、３色での燃焼機の状態表現出来る。離れた場所からでもバックライトの色を確認するだけで運転状態が確認でき、使い勝手の良い燃焼機の表示装置が実現できる。
【特許文献１】特開２００３−１８５１３５号公報
【発明の開示】
【発明が解決しようとする課題】
【００１１】
前記従来の構成では、表示部３はバックライトを有する液晶表示器を用い、前記バックライトは２色以上の色を切り替え、「強燃焼」や「弱燃焼」、「サーモＯＦＦ」、「省エネ運転」、「３時間消火前予告」、「タイマー運転」、「給油」、といった燃焼機特有の運転状態に応じて表示する液晶表示器のバックライトの色を２色以上で切り替えることで表現するようになっていて、液晶表示器全体をバックライトで色を変えて１色で表現するため、表示内容は、常に１つの事象にしか対応できないという課題があった。
【００１２】
つまり、「強燃焼」や「弱燃焼」、「サーモＯＦＦ」、「省エネ運転」、「３時間消火前予告」、「タイマー運転」、「給油」に対応して、バックライトの色を変えるようにしているため、「強燃焼」「省エネ運転」「３時間消火前予告」等の重ね合わせた表現ができないという課題があった。
【００１３】
また、普通の人たちには赤色などの注意を喚起する色でも、加齢者や色弱者などにとっては、赤などの色は灰色に見え、背景色を赤にすると文字と背景との差が少なくわかりづらいという欠点があった。
【００１４】
本発明は、前記従来の課題を解決するもので、簡単な構成でわかりやすい表示装置を提供することを目的とする。
【課題を解決するための手段】
【００１５】
前記従来の課題を解決するために、本発明の表示装置は、運転指示及び各種設定を行う操作部と、この操作部の指示により運転を制御する制御部と、前記制御部による運転状態を表示する表示部を備え、前記表示部はバックライト手段を有する液晶表示器を用い、前記バックライト手段を複数に分割することで、個別にバックライト手段の色を変更したり、個別に点灯と消灯を選択できる構成としたものである。
【００１６】
これによって、表示部はバックライト手段を有する液晶表示器を用い、バックライト手段を複数に分割し個別にバックライト手段の色を変えることよって、液晶表示器の背景色を部分的に色を変えることかできるようになり、同時に複数の運転状態をバックライト手段の背景色を変えて、表示ができるようになる。
【００１７】
つまり、液晶表示器に表示する内容に応じて、それに対応する部分のバックライト手段の色を変えることよって、液晶表示器の背景色を表示する内容に応じて色を変えることかできるようになり、同時に複数の運転状態を複数の背景色で表示でき、遠く離れた状態でも液晶表示器の表示する内容が背景色で判別できるようになり、わかりやすい表示ができるようになる。また、内容を示す部分は点灯のままで液晶表示器の内容を示す部分の周囲のバックライト手段を点滅させて、注意喚起をしながら表示内容は分かりやすくすることができるようになり、わかりやすい表示ができるようになる。そして、バックライト手段を個別に点灯と消灯を選択できる構成としてあるので、必要な液晶表示器に表示する内容の部分だけバックライト手段を点灯させることができ、必要な部分の強調ができるとともに、必要な部分のみのバックライト手段の点灯ができるのでバックライト手段の省エネが図れ、省エネの強調ができるようになる。
【発明の効果】
【００１８】
本発明の表示装置は、液晶表示器に表示する内容に応じて、それに対応する部分のバックライト手段の色を変えることよって、液晶表示器の背景色を表示する内容に応じて色を変えることかできるようになり、同時に複数の運転状態を複数の背景色で表示でき、遠く離れた状態でも液晶表示器の表示する内容が背景色で判別できるようになり、わかりやすい表示ができるようになる。また、内容を示す部分は点灯のままで液晶表示器の内容を示す部分の周囲のバックライト手段を点滅させて、注意喚起をしながら表示内容は視認性が向上でき、わかりやすい表示ができるようになる。そして、バックライト手段を個別に点灯と消灯を選択できる構成としてあるので、必要な液晶表示器に表示する内容の部分だけバックライト手段を点灯させることができ、必要な部分の強調ができるとともに、必要な部分のみのバックライト手段の点灯ができるのでバックライト手段の省エネが図れ、省エネの強調ができるようになる。
【発明を実施するための最良の形態】
【００１９】
第１の発明は、運転指示及び各種設定を行う操作部と、この操作部の指示により運転を制御する制御部と、前記制御部による運転状態を表示する表示部を備え、前記表示部はバックライト手段を有する液晶表示器を用いるとともに、バックライト手段を複数に分割し個別にバックライト手段の色を変える構成としたものである。
【００２０】
そして、表示部はバックライト手段を有する液晶表示器を用いるとともに、バックライト手段を複数に分割し個別にバックライト手段の色を変えることよって、液晶表示器の背景色を部分的に色を変えることかできるようになり、同時に複数の運転状態をバックライト手段の背景色を変えて、表示ができるようになる。
【００２１】
つまり、液晶表示器に表示する内容に応じて、それに対応する部分のバックライト手段の色を変えることよって、液晶表示器の背景色を表示する内容に応じて色を変えることかできるようになり、同時に複数の運転状態を複数の背景色で表示でき、遠く離れた状態でも液晶表示器の表示する内容が背景色で判別できるようになり、わかりやすい表示ができるようになる。また、内容を示す部分は点灯のままで液晶表示器の内容を示す部分の周囲のバックライト手段を点滅させて、注意喚起をしながら表示内容は分かりやすくすることができるようになり、わかりやすい表示ができるようになる。
【００２２】
第２の発明は、運転指示及び各種設定を行う操作部と、この操作部の指示により運転を制御する制御部と、前記制御部による運転状態を表示する表示部を備え、前記表示部はバックライト手段を有する液晶表示器を用いるとともに、バックライト手段を複数に分割し、バックライト手段を個別に点灯と消灯を選択できる構成としてある。
【００２３】
そして、バックライト手段を個別に点灯と消灯を選択できる構成としてあるので、必要な液晶表示器に表示する内容の部分だけバックライト手段を点灯させることができ、必要な部分の強調ができるとともに、必要な部分のみのバックライト手段の点灯ができるのでバックライト手段の省エネが図れ、省エネの強調ができるようになる。
【００２４】
第３の発明は、特に、第１または第２の発明のバックライト手段を複数に分割し部分的にバックライト手段を点滅させる構成としてある。
【００２５】
そして、バックライト手段を複数に分割し部分的にバックライト手段を点滅させる構成としてあるので、必要な部分のみのバックライト手段の点滅ができ、必要な部分の強調ができるとともに、例えば、内容を示す部分は点灯のままで液晶表示器の内容を示す部分の周囲のバックライト手段を点滅させて、注意喚起をしながら表示内容は分かりやすくすることができるようになり、わかりやすい表示ができるようになる。
【００２６】
第４の発明は、特に、第１〜３の発明の表示部は液晶表示器をバックライト手段の一部を形成するホルダーを介してプリント基板に配設するとともに、ホルダーは蓄光剤を混入した蛍光色の樹脂材料で形成した構成としてある。
【００２７】
そして、液晶表示器をバックライト手段の一部を形成するホルダーを介してプリント基板に配設するとともに、ホルダーは蓄光剤を混入した蛍光色の樹脂材料で形成してあるので、バックライト消灯機能選択中でも液晶表示器に表示する内容がホルダーの蛍光色の背景となりわかりやすくなり、さらに、周囲が暗くなっても蓄光剤に蓄えられた光によって液晶表示器に表示する内容がわかるようになる。また、バックライト手段の点灯時においても、ホルダーの蛍光色が背景に加えられるので、その明るさは格段と増え見やすくなるとともに、蓄光剤を混入した蛍光色の樹脂材料で形成されたホルダーにバックライト手段の点灯時の間光が蓄えられ、蓄えられた光で表示部を照明することができ、より視認性が向上する。
【００２８】
以下、本発明の実施の形態について、図面を参照しながら説明する。なお、この実施の形態によって本発明が限定されるものではない。
【００２９】
（実施の形態１）
図１は、本発明の実施の形態における燃焼機の液晶表示器の表示概略図、図２は同液晶表示器の断面構造図、図３は燃焼機の制御ブロック図である。
【００３０】
まず、本発明の液晶表示器を用いる燃焼機について、図３を用いて説明すると、運転指示及び各種設定を行う操作部１１の信号に基づいて、制御部１２は該機器の運転を制御するようになっていて、その制御部１２による運転状態の内容を表示部１３で表示するようにしてある。また、制御部１２は、燃焼部１４の状態を検出する燃焼センサー１５や、該機器内の温度上昇を検出して空気不足を検出する埃センサー１６、室温を検出する室温センサー１７、そして、灯油の有無を検出する油面センサー１８等の各種センサーの信号に応じて、操作部１１からの運転指示及び各種設定に従い、バーナーや対流ファン（図示せず）を備えた燃焼部１４を予め決められたシーケンスで制御すると共に、現在の運転状態を表示部１３に表示する制御を行う。
【００３１】
次に、本発明の液晶表示器について、図１、図２を用いて説明すると、プリント基板１９上に、バックライト手段を介して液晶表示器２０を配設してあり、上記バックライト手段は、プリント基板１９上に、液晶表示器２０の表示内容に合わせ、液晶表示器２０の背景色を複数とするように、液晶表示器２０の内容に合わせた複数の色のＬＥＤ２１を配設し、その上に、蓄光剤を混入した白に近い蛍光色の樹脂製でＬＥＤ２１の開口窓を形成する小孔２２ａを有するホルダー２２を配設し、さらにその上に、ＬＥＤ２１の光を均一化せしめるために導光板２３と拡散シート２４が配設してある。
【００３２】
また、液晶表示器２０は段付き形状で、その表裏面には偏光板２５、２６がそれぞれ貼着されている。液晶表示器２０の下段部分はプリント基板１９にはんだ付けしたピン２７の先端部に挾持され、プリント基板１９とは導通状態にあり、液晶表示器２０は、安息香酸エチル、オレイン酸アンモニウム等の結晶性物質を熱することにより製造されるもので、ピン２７を介して印加される電圧で結晶配列が変化することにより透明度が変わり、所定の表示ができるようになっている。
【００３３】
つぎに、液晶表示器２０の表示内容について説明すると、液晶表示器２０には、運転状態の内容を表示する「換気」２８、「掃除」２９、「給油」３０、「残油」３１、「３時間消火前予告」３２、「タイマー消火前予告」３３の絵文字と、室温や時刻やエラーコードを表示する「４桁数字表示」３４の数字表示が配設してある。この絵文字、数字表示の位置に対応するプリント基板１９上に、液晶表示器２０の内容に合わせ、「換気」２８は赤色、「掃除」２９は青色、「給油」３０は緑色、「残油」３１は黄色、「３時間消火前予告」３２と「タイマー消火前予告」３３はオレンジ色と、そして、「４桁数字表示」３４は白色のＬＥＤ２１が配設してあり、かつＬＥＤ２１の位置する場所に対応してホルダー２２には上述のＬＥＤ２１の開口窓を形成する小孔２２ａが配設してあるとともに、「４桁数字表示」３４の数字表示の周囲にも、警告を表示するバックライト手段として赤色のＬＥＤ２１とこのＬＥＤ２１の開口窓を形成する小孔２２ａが配設してある。このホルダー２２のＬＥＤ２１の開口窓を形成する小孔２２ａ部分は、その開孔率がおよそ５０％前後としてあり、ＬＥＤ２１を点灯していない時に正面から見ると小孔２２ａであるため、小孔２２ａの周囲の基部の色で見えるが、ＬＥＤ２１を点灯した時は、光が通過してＬＥＤ２１の光色で見えるように形成してある。
【００３４】
上記した構成において、表示装置の動作ついて説明すると、制御部１２の信号に基づいて液晶表示器２０のピン６を介して電圧が印加されて透明度が変わり、液晶表示器２０に所定の運転状態の内容を表示する絵文字や、室温や時刻やエラーコードを表示する数字表示が表示される。
【００３５】
ここで、表示部１３はバックライト手段を有する液晶表示器２０を用いるとともに、バックライト手段を複数に分割し個別にバックライト手段の色を変えることよって、液晶表示器２０の背景色を部分的に色を変えることかできるようになり、わかりやすい表示ができるようになる。
【００３６】
例えば、液晶表示器２０に表示する内容に応じて、「換気」２８は赤色、「掃除」２９は青色、「給油」３０は緑色、「残油」３１は黄色、「３時間消火前予告」３２と「タイマー消火前予告」３３はオレンジ色と、そして、「４桁数字表示」３４は白色と、それぞれに対応する部分のバックライト手段のＬＥＤ２１の色を変えることよって、液晶表示器２０の背景色を表示する内容に応じて色を変えることかできるようになり、該機器の運転状態の内容に応じてバックライト手段のＬＥＤ２１を点灯させることで、液晶表示器２０の表示する内容が背景色で判別できるようになり、わかりやすい表示ができるようになる。
【００３７】
また、該機器の運転状態が異常の状態を示す場合は、「４桁数字表示」３４にそのエラーを内容を示すエラーコードを点灯させて、その数字表示の周囲のバックライト手段ＬＥＤ２１を点滅させて、バックライト手段の点滅で注意喚起をしながら「４桁数字表示」３４のエラーコードの点灯で表示内容は分かりやすくすることができるようになり、わかりやすい表示ができるようになる。
【００３８】
表示内容について説明すると、「換気」２８は燃焼センサー１５の信号に応じて該機器が密閉された状態で長く使用されて部屋の空気の入れ替えが必要なときに表示され、その時にその部分の照明するバックライト手段の赤色のＬＥＤ２１が点灯されるようになっていて、「掃除」２９は埃センサー１６の信号に応じて燃焼部１４のバーナーや対流ファンの空気取り入れ口に埃などが溜まり空気不足になった時の空気取り入れ口のフィルター等の掃除が必要なときに表示され、その時にその部分の照明するバックライト手段の青色のＬＥＤ２１が点灯されるようになっている。
【００３９】
また、「給油」３０は油面センサー１８の信号に応じて該機器の燃料が残り少なくなったときに表示され、その時にその部分の照明するバックライト手段の緑色のＬＥＤ２１が点灯されるとともに、「４桁数字表示」３４に時計表示ではなく該機器の燃料で燃焼できる残時間を表示するように切り換えられ、「残油」３１はその「４桁数字表示」３４の表示が残時間表示であることを知らせるために表示され、その時にその部分の照明するバックライト手段の黄色のＬＥＤ２１が点灯されるようになっている。
【００４０】
またさらに、「３時間消火前予告」３２は部屋の換気を促すために３時間以内に所定の動作たとえば３時間延長ボタンを使用者が押さなければ運転停止させる機能で継続させるための所定の動作を促すときに表示され、その時にその部分の照明するバックライト手段のオレンジ色のＬＥＤ２１が点灯されるようになっていて、「タイマー消火前予告」３３はタイマー運転後所定時間に自動運転停止させる機能で継続させるための所定の動作を促すときに表示され、その時にその部分の照明するバックライト手段のオレンジ色のＬＥＤ２１が点灯されるようになっている。
【００４１】
そして、「４桁数字表示」３４は使用していないときは時計表示あるいはタイマー運転設定時刻の表示などの時刻表示と、運転中は室温センサー１７で検出された室温あるいは設定温度を表す温度表示と、該機器の燃料が残り少なくなったときすなわち「残油」３１点灯時の残時間表示、そして、該機器の運転状態が異常の状態を示す場合にそのエラーを内容を示すエラーコードを表示するようになっている。また、「４桁数字表示」３４には、その示している内容例えば時間表示であれば「時」「分」また温度表示であれば「℃」の単位が表示されるようになっている。
【００４２】
例えば、「４桁数字表示」３４は、運転していない時は時計表示し、運転中は設定温度と室温の表示をし、さらに燃料がなくなって燃料切れで燃焼停止したときには、「４桁数字表示」３４に「Ｅ００１」を表示して、この場合は「４桁数字表示」の周囲のバックライト手段の赤色ＬＥＤ２１を点滅させると同時に、液晶表示器２０に「給油」３０を表示させるとともにその部分の照明するバックライト手段の緑色ＬＥＤ２１を点灯させるようになっている。したがって、お年寄りや色弱者の方にとっても、警告を表示するバックライト手段の点滅で異常があったことが判りやすくなり、さらに、その内容を示す表示を「給油」３０の絵文字と「４桁数字表示」３４に示すので、その理由がわかりやすくなるとともに、通常者にとっては、その内容がその部分の照明するバックライト手段の色でわかるようになり、遠く離れてもその内容が色で判断できるなど使い勝手が大幅に増すようになる。
【００４３】
この様に、該機器の運転状態に内容に応じて、液晶表示器２０の表示にその内容を表示させるとともに、それに対応したバックライト手段のＬＥＤ２１を点灯あるいは点滅させることで、液晶表示器２０の表示する内容がよりわかりやくなり、使用者の使い勝手が大幅に改善される。
【００４４】
つまり、バックライト手段を複数に分割し部分的にバックライト手段を点滅させる構成としてあるので、必要な部分のみのバックライト手段の点滅ができ、必要な部分の強調ができるとともに、例えば、内容を示す部分は点灯のままで液晶表示器２０の内容を示す部分の周囲のバックライト手段を点滅させて、注意喚起をしながら表示内容は分かりやすくすることができるようになり、わかりやすい表示ができるようになる。
【００４５】
また、それぞれのバックライト手段は個別に点灯と消灯を選択できる構成としてあるので、必要な液晶表示器２０に表示する内容の部分だけバックライト手段のＬＥＤ２１を点灯させることができ、必要な部分の強調ができるとともに、必要な部分のみのバックライト手段のＬＥＤ２１の点灯ができるのでバックライト手段の省エネが図れ、省エネの強調ができるようになる。
【００４６】
さらに、液晶表示器２０をバックライト手段の一部を形成するホルダー２２を介してプリント基板１９に配設するとともに、ホルダー２２は蓄光剤を混入した蛍光色の樹脂材料で形成してあるので、バックライト消灯機能選択中でも液晶表示器２０に表示する内容がホルダー２２の蛍光色の背景となりわかりやすくなり、さらに、周囲が暗くなっても蓄光剤に蓄えられた光によって液晶表示器２０に表示する内容がわかるようになる。また、バックライト手段の点灯時においても、ホルダー２２の蛍光色の背景に加えられるので、その明るさは格段と増え見やすくなるとともに、蓄光剤を混入した蛍光色の樹脂材料で形成されたホルダー２２にバックライト手段の点灯時の間光が蓄えられ、蓄えられた光で表示部を照明することができ、より視認性が向上する。
【００４７】
なお、本実施の形態では、バックライト手段のＬＥＤ２１の点滅を「４桁数字表示」３４の周囲のバックライト手段としたが、これは、絵文字、数字表示などのどの部分に用いても良いし、バックライト手段のＬＥＤ２１の点灯、点滅、消灯をどのように組み合わせても良い。また、バックライト手段はホルダー２２のＬＥＤ２１の開口窓を形成する小孔２２ａ部分を介して行うようにしたが、これは、導光板２３を介して側面より行うようにしてもよく、また、バックライト手段を形成するどのような手段を用いてもよい。さらに、本発明の表示装置を燃焼機の表示装置で説明したが、これは電気器具等の液晶表示器２０を用いるものであればよく、その他各部の構成も本発明の目的を達成する範囲であればその構成はどのようなものであってもよい。
【産業上の利用可能性】
【００４８】
以上のように、本発明にかかる表示装置は、簡単な構成で判りやすい表示が可能となるので、一般の電気器具に用いる表示装置等の用途にも適用できる。
【図面の簡単な説明】
【００４９】
【図１】本発明の実施の形態１における液晶表示器の表示概略図
【図２】同液晶表示器の断面構造図
【図３】本発明の実施の形態１における燃焼機の制御ブロック図
【図４】従来の燃焼機のブロック図
【図５】従来の同燃焼機の動作を表すフローチャート
【符号の説明】
【００５０】
１１  操作部
１２  制御部
１３  表示部
１９  プリント基板
２０  液晶表示器
２１  ＬＥＤ
２２  ホルダー
２２ａ  ホルダーの小孔
【図１】
2005172985.tif 000003
【図２】
2005172985.tif 000004
【図３】
2005172985.tif 000005
【図４】
2005172985.tif 000006
【図５】
2005172985.tif 000007